【手続補正書】
【提出日】平成20年4月14日(2008.4.14)
【手続補正１】
【補正対象書類名】特許請求の範囲
【補正対象項目名】全文
【補正方法】変更
【補正の内容】
【特許請求の範囲】
【請求項１】
燃料カートリッジ室部の輪郭を定義するハウジングを具備する電子装置と、  上記燃料カートリッジ室部に取り外し可能に収納できる燃料カートリッジとを有し、  上記燃料カートリッジは少なくとも１つの膜電極組立体と燃料を含有する燃料貯蔵部とを有し、上記電子装置で利用される電気に変換するために上記燃料を上記膜電極組立体に運ぶ前に上記燃料を上記電子装置内の１または複数の部品に運べるようにしたことを特徴とする燃料電池システム。
【請求項２】
上記電子装置はさらに第１の電気コンタクトおよびコントローラを有し、上記燃料カートリッジはさらに第２の電気コンタクトを有し、上記燃料カートリッジを上記電子装置に動作可能に関連付けたときに上記第１および第２の電気コンタクトが電気的に接続され、上記コントローラが上記電子装置および上記燃料カートリッジの機能を制御する請求項１記載の燃料電池システム。
【請求項３】
上記膜電極組立体は陽極、陽子交換膜および陰極を含む請求項１記載の燃料電池システム。
【請求項４】
燃料カートリッジは上記第２の電気コンタクトと電気的に接続されている情報記憶装置をさらに有し、上記燃料カートリッジを上記電子装置に動作可能に関連付けたときに上記情報記憶装置がコントローラにより読み出し可能である請求項２記載の燃料電池システム。
【請求項５】
上記燃料カートリッジは上記膜電極組立体の上流に流体連通された熱交換器をさらに有し、上記燃料が上記熱交換器に運ばれて冷却されたのち、上記膜電極組立体に運ばれる請求項１記載の燃料電池システム。
【請求項６】
燃料カートリッジは上記燃料貯蔵の下流に流体連通されたイオンフィルタをさらに有する請求項１記載の燃料電池システム。
【請求項７】
燃料カートリッジはさらにイオンセンサを有し、このイオンセンサが上記第２の電気コンタクトと電気的に接続される請求項２記載の燃料電池システム。
【請求項８】
上記電子装置は、上記燃料を上記膜電極組立体へ運ぶのを支援するポンプをさらに有し、上記燃料カートリッジが上記電子装置と動作可能に関連付けられる請求項１記載の燃料電池システム。
【請求項９】
上記電子装置はさらに空気室部を有し、上記燃料カートリッジが上記電子装置に動作可能に関連付けられたときに上記空気室部が上記膜電極組立体の陰極と流体連通されて空気が上記陰極に運ばれる請求項１記載の燃料電池システム。
【請求項１０】
上記電子装置がさらに気体副産物分離器を有し、上記燃料カートリッジが上記電子装置に動作可能に関連付けられたときに上記二酸化炭素分離器が上記膜電極組立体の陽極に流体連通されて気体副産物が上記気体産物分離器へ運ばれる請求項１記載の燃料電池システム。
【請求項１１】
上記電子装置はさらに凝集器を有し、上記燃料カートリッジが上記電子装置に動作可能に関連付けられたときに上記凝集器が上記膜電極組立体の陰極に流体連通されて液体副産物が上記凝集器に運ばれる請求項１記載の燃料電池システム。
【請求項１２】
上記電子装置はさらに混合室部を有し、上記燃料カートリッジが上記電子装置に動作可能に関連付けられたときに上記混合室部が上記凝集器および上記燃料貯蔵部に流体連通されて上記燃料が混合室部に運ばれ上記副産物が上記混合室部に運ばれ、上記燃料および上記副産物が混合されたのちに上記膜電極組立体に運ばれる請求項１１記載の燃料電池システム。
【請求項１３】
上記膜電極組立体または上記燃料貯蔵部は使い捨て可能である請求項１記載の燃料電池システム。
【請求項１４】
上記膜電極組立体はスタック中に配列される請求項１記載の燃料電池システム。
【請求項１５】
電子装置に挿入可能に構成されて当該電子装置に電気を供給する燃料電池カートリッジにおいて、少なくとも１つの膜電極組立体と、燃料を含有する燃料貯蔵部とを有し、上記燃料が上記膜電極組立体で反応して上記電気を生成し、かつバランス・オブ・プラントが上記カートリッジ内で起こることを特徴とする燃料カートリッジ。
【請求項１６】
上記燃料貯蔵部または上記膜電極組立体は上記カートリッジに取り外し可能に結合され、上記燃料貯蔵部または上記膜電極組立体が再充填または交換可能である請求項１５記載の燃料カートリッジ。
【請求項１７】
上記電子装置はさらに第１の電気コンタクトおよびコントローラを有し、上記燃料カートリッジはさらに第２の電気コンタクトを有し、上記燃料カートリッジを上記電子装置に動作可能に関連付けたときに上記第１および第２の電気コンタクトが電気的に接続され、上記コントローラが上記電子装置および上記燃料カートリッジの機能を制御する請求項１５記載の燃料カートリッジ。
【請求項１８】
上記燃料カートリッジは上記膜電極組立体の上流に流体連通された熱交換器をさらに有し、上記燃料が上記熱交換器に運ばれて冷却されたのち、上記膜電極組立体に運ばれる請求項１５記載の燃料カートリッジ。
【請求項１９】
上記燃料カートリッジは上記燃料貯蔵の下流に流体連通されたイオンフィルタをさらに有する請求項１５記載の燃料カートリッジ。
【手続補正２】
【補正対象書類名】明細書
【補正対象項目名】００５２
【補正方法】変更
【補正の内容】
【００５２】  添付図面は明細書の一部を形成し、明細書との関連において理解されるべきであり、種々の図において類似の参照番号は類似の部分を示すために用いられる。添付図面は以下の通りである。  なお、以下に、上述実施例の技術的な特徴を列挙する。［技術的特徴１］  燃料カートリッジ室部の輪郭を定義するハウジングを具備する電子装置と、  上記燃料カートリッジ室部に取り外し可能に収納できる燃料カートリッジとを有し、  上記燃料カートリッジは少なくとも１つの膜電極組立体と燃料を含有する燃料貯蔵部とを有し、上記電子装置で利用される電気に変換するために上記燃料を上記膜電極組立体に運ぶ前に上記燃料を上記電子装置に運べるようにしたことを特徴とする燃料電池システム。［技術的特徴２］  上記電子装置はさらに第１の電気コンタクトおよびコントローラを有し、上記燃料カートリッジはさらに第２の電気コンタクトを有し、上記燃料カートリッジを上記電子装置に動作可能に関連付けたときに上記第１および第２の電気コンタクトが電気的に接続され、上記コントローラが上記電子装置および上記燃料カートリッジの機能を制御する技術的特徴１記載の燃料電池システム。［技術的特徴３］  上記膜電極組立体は陽極、陽子交換膜および陰極を含む技術的特徴１記載の燃料電池システム。［技術的特徴４］  燃料カートリッジは上記第２の電気コンタクトと電気的に接続されている情報記憶装置をさらに有し、上記燃料カートリッジを上記電子装置に動作可能に関連付けたときに上記情報記憶装置がコントローラにより読み出し可能である技術的特徴１記載の燃料電池システム。［技術的特徴５］  上記燃料カートリッジは上記膜電極組立体の上流に流体連通された熱交換器をさらに有し、上記燃料が上記熱交換器に運ばれて冷却されたのち、上記膜電極組立体に運ばれる技術的特徴１記載の燃料電池システム。［技術的特徴６］  燃料カートリッジは上記燃料貯蔵の下流に流体連通されたイオンフィルタをさらに有する技術的特徴１記載の燃料電池システム。［技術的特徴７］  燃料カートリッジはさらにイオンセンサを有し、このイオンセンサが上記第２の電気コンタクトと電気的に接続される技術的特徴１記載の燃料電池システム。［技術的特徴８］  上記電子装置は、上記燃料を上記膜電極組立体へ運ぶのを支援するポンプをさらに有し、上記燃料カートリッジが上記電子装置と動作可能に関連付けられる技術的特徴１記載の燃料電池システム。［技術的特徴９］  上記ポンプは上記第２の電気コンタクトおよび上記コントローラと電気的に接続される技術的特徴８記載の燃料電池システム。［技術的特徴１０］  上記電子装置はさらに空気室部を有し、上記燃料カートリッジが上記電子装置に動作可能に関連付けられたときに上記空気室部が上記膜電極組立体の陰極と流体連通されて空気が上記陰極に運ばれる技術的特徴１記載の燃料電池システム。［技術的特徴１１］  上記電子装置がさらに気体副産物分離器を有し、上記燃料カートリッジが上記電子装置に動作可能に関連付けられたときに上記二酸化炭素分離器が上記膜電極組立体の陽極に流体連通されて気体副産物が上記気体産物分離器へ運ばれる技術的特徴１記載の燃料電池システム。［技術的特徴１２］  上記電子装置はさら���凝集器を有し、上記燃料カートリッジが上記電子装置に動作可能に関連付けられたときに上記凝集器が上記膜電極組立体の陰極に流体連通されて液体副産物が上記凝集器に運ばれる技術的特徴１記載の燃料電池システム。［技術的特徴１３］  上記電子装置はさらに混合室部を有し、上記燃料カートリッジが上記電子装置に動作可能に関連付けられたときに上記混合室部が上記凝集器および上記燃料貯蔵部に流体連通されて上記燃料が混合室部に運ばれ上記副産物が上記混合室部に運ばれ、上記燃料および上記副産物が混合されたのちに上記膜電極組立体に運ばれる技術的特徴１２記載の燃料電池システム。［技術的特徴１４］  上記電子装置は上記凝集器および上記混合室部の間に配置され上記凝集器および上記混合室部と流体連通された絞り（ｍｅｔｅｒｉｎｇ）バルブを有し、上記副産物が上記絞りバルブを介して上記混合室部に運ばれる技術的特徴１３記載の燃料電池システム。［技術的特徴１５］  上記膜電極組立体は使い捨て可能である技術的特徴１記載の燃料電池システム。［技術的特徴１６］  上記燃料貯蔵部は使い捨て可能である技術的特徴１記載の燃料電池システム。［技術的特徴１７］  上記膜電極組立体はスタック中に配列される技術的特徴１記載の燃料電池システム。［技術的特徴１８］  第１の電気コンタクトおよびこの第１の電気コンタクトと電気的に接続されているコントローラを具備する電子装置と、  上記電子装置と動作可能に関連付けられ、かつ、第２の電気コンタクト、少なくとも１つの膜電極組立体、および燃料を含有する燃料貯蔵部を有する燃料カートリッジとを有し、  上記燃料カートリッジを上記電子装置に動作可能に関連付けたときに上記第１および第２の電気コンタクトが電気的に接続され、上記コントローラが上記電子装置および上記燃料カートリッジの機能を制御し、かつ、上記電子装置で利用される電気に変換するために上記燃料が上記膜電極組立体に運ばれることを特徴とする燃料電池システム。［技術的特徴１９］  上記電子装置はさらに複数の第１の流体部品を有し、上記燃料カートリッジは複数の第２の流体部品と複数の二要素バルブとを有し、第１組のバルブ要素が上記燃料カートリッジに結合され、第２組のバルブ要素が上記電子装置に結合され、上記燃料カートリッジを上記電子装置に動作可能に関連付けたときに上記第１組および第２組のバルブ要素が係合して上記複数の第１の流体部品と上記複数の第２の流体部品との間を流体連通可能にする技術的特徴１８記載の燃料電池システム。［技術的特徴２０］  電子装置に挿入可能に構成されて当該電子装置に電気を供給する燃料電池カートリッジにおいて、少なくとも１つの膜電極組立体と、燃料を含有する燃料貯蔵部とを有し、上記燃料が上記膜電極組立体で反応して上記電気を生成し、かつバランス・オブ・プラントが上記カートリッジ内で起こることを特徴とする燃料電池カートリッジ。［技術的特徴２１］  上記燃料貯蔵部は上記カートリッジに取り外し可能に結合され、上記燃料貯蔵部が再充填または交換可能である技術的特徴２０記載の燃料電池カートリッジ。［技術的特徴２２］  上記膜電極組立体が上記カートリッジに取り外し可能に結合され、上記膜電極組立体が修繕または交換可能であ���技術的特徴２０記載の燃料電池カートリッジ。